(57)【要約】【課題】より強固で漏水を確実に防止することができる最終処分場の簡易底版構造を提供する。【解決手段】底版構造体２０は、防水ユニット２１１と防水ユニット２１１上に敷設された砕石２１２とからなる防水構造体２１０が砂層２２０を介して複数積層した構造となっている。最下層の防水構造体２１０の砕石２１２には有孔の集水管２１３が配設されている。防水ユニット２１１は、遮水シート２１１Ｘおよび遮水シート２１１Ｘの上下を被う保護マット２１１Ｙにより構成されている。底版構造体２０の下には、底版構造体２０の下面および垂直壁支持体１０全体を覆うように不透水性の改良土を配置した底版支持体２３０が設けられている。【選択図】図２
2014223560.tif 000002
【特許請求の範囲】
【請求項１】
無機廃棄物を含む盛土材を圧密成形体として埋め立てる最終処分場の簡易底版構造であって、
前記最終処分場の外周に立設された垂直壁と、
前記垂直壁の外側に該垂直壁を支持するように全周に亘って不透水性の改良土を配置した垂直壁支持体と、
前記垂直壁と一体として該最終処分場の底部を閉蓋する底版構造体と、
前記底版構造体の下に、該底版構造体の下面および前記垂直壁支持体全体を覆うように不透水性の改良土を配置した底版支持体と
を備え、
前記底版構造体は、遮水シートおよび該遮水シートの上下を被う保護マットで構成される防水ユニットと、該防水ユニット上に敷設された砕石とからなる防水構造体が砂層を介して複数積層した構造であって、最下層の防水構造体の砕石に有孔の集水管が設けられていることを特徴とする最終処分場の簡易底版構造。
【請求項２】
請求項１記載の最終処分場の簡易底版構造において、
前記垂直壁支持体上で支持され、当該最終処分場の上方全体を覆う屋根部を備えることを特徴とする最終処分場の簡易底版構造。
【発明の詳細な説明】
【技術分野】
【０００１】
本発明は、無機廃棄物を含む盛土材を圧密成形体として埋め立てる最終処分場の簡易底版構造に関する。
【背景技術】
【０００２】
従来、この種の最終処分場の底版構造としては、本願出願人による下記特許文献１がある。かかる最終処分場の底版構造は、最終処分場の底部を遮水シートで覆いその上下に排水管を設けた構造となっている。
【０００３】
遮水シートの上側の排水管は、オープン型（屋根のない）の最終処分場において、場内に降った雨水を集水するためのものであり、遮水シートの下側の排水管は、遮水シートから雨水を含む処分場内の保有水が漏水していないことを検証するものとなっている。
【先行技術文献】
【特許文献】
【０００４】
【特許文献１】特許第４３１７２６０号公報
【発明の概要】
【発明が解決しようとする課題】
【０００５】
ここで、本願出願人はさらなる鋭意の試験研究において、最終処分場において、より強固な底版構造を実現すると共に、漏水を防止するより高いレベルでの安全性能を実現することを検討した。
【０００６】
かかる背景のもとに、本発明は、より強固で漏水を確実に防止することができる最終処分場の簡易底版構造を提供することを目的とする。
【課題を解決するための手段】
【０００７】
第１発明の最終処分場の簡易底版構造は、無機廃棄物を含む盛土材を圧密成形体として埋め立てる最終処分場の簡易底版構造であって、
前記最終処分場の外周に立設された垂直壁と、
前記垂直壁の外側に該垂直壁を支持するように全周に亘って不透水性の改良土を配置した垂直壁支持体と、
前記垂直壁と一体として該最終処分場の底部を閉蓋する底版構造体と、
前記底版構造体の下に、該底版構造体の下面および前記垂直壁支持体全体を覆うように不透水性の改良土を配置した底版支持体と
を備え、
前記底版構造体は、遮水シートおよび該遮水シートの上下を被う保護マットで構成される防水ユニットと、該防水ユニット上に敷設された砕石とからなる防水構造体が砂層を介して複数積層した構造であって、最下層の防水構造体の砕石に有孔の集水管が設けられていることを特徴とする。
【０００８】
第１発明の最終処分場の簡易底版構造によれば、垂直壁と一体として最終処分場の底部を閉蓋する底版構造体は、防水ユニットと防水ユニット上に敷設された砕石とからなる防水構造体が砂層を介して複数積層した構造となっている。
【０００９】
ここで、防水ユニットは、遮水シートおよび遮水シートの上下を被う保護マットで構成され、これが防水構造体の各層に配置されるため、漏水を確実に防止することができる。
【００１０】
さらに、処分場の底版に掛る荷重を防水ユニット上の砕石により分散させることができ、防水ユニットの負荷を低減することができ、防水ユニットが破損することもない。
【００１１】
また、砕石よりも分散性の高い砂層を防水構造体の間に配置することで、底版に掛る荷重の分散効果を高めることができ、底版構造体をコンクリート以外の簡易的な構造物とすることが可能となる。
【００１２】
さらに、底版構造体の下には、当該底版構造体の下面および垂直壁支持体全体を覆うように不透水性の改良土を配置した底版支持体が設けられている。そのため、地下水などが底版構造体に浸入することを簡易に防止することができる。
【００１３】
かかる底版構造体および底版支持体により、最下層の防水構造体には、地下水などの浸入が通常はないことから、最下層の防水構造体の砕石に有孔の集水管を設け、集水管を監視することで漏水の有無を確実に判定することができる。
【００１４】
このように、第１発明の最終処分場の簡易底版構造によれば、より強固で漏水を簡易かつ確実に防止することができる。
【００１５】
第２発明の最終処分場の簡易底版構造は、第１発明において、
前記垂直壁支持体上で支持され、当該最終処分場の上方全体を覆う屋根部を備えることを特徴とする。
【００１６】
第２発明の最終処分場の簡易底版構造によれば、最終処分場を屋根部のある、いわゆるクローズ型最終処分場とすることで、最終処分場の直上からの雨水の浸入がなくなる。そのため、処分場内の保有水の処理が不要となると共に、集水管を最終処分場外からの雨水等の浸入監視として用いることができる。
【００１７】
このように、第２発明の最終処分場の簡易底版構造によれば、最終処分場におけるより高いレベルでの安全性能を実現することができる。
【図面の簡単な説明】
【００１８】
【図１】最終処分場における簡易底版構造および簡易垂直壁構造の概要を示す断面図。
【図２】図１の簡易底版構造および簡易垂直壁構造の詳細を示す説明図。
【発明を実施するための形態】
【００１９】
本発明の一実施形態として、最終処分場における簡易底版構造および簡易垂直壁構造について説明する。
【００２０】
図１および図２に示すように、本実施形態の最終処分場は、地上面ＧＬに対して掘り下げて埋め立て空間を形成し、埋め立て空間の外周に立設された垂直壁１０と、垂直壁１０と一体として水平方向に埋め立て空間の底部を閉蓋する底版構造体２０と、埋め立て空間の上方全体を覆う屋根部３０と、進入路４０とを備える。
【００２１】
垂直壁１０は、例えば、ワイヤーを格子状にしたものであって、コンクリート以外の構造物となっている。
【００２２】
まず、垂直壁１０は、その内側面に、第１ウレタン層１１０と、内側面防水構造体１１１と、第２ウレタン層１１２とが設けられている。
【００２３】
第１ウレタン層１１０は、垂直壁の内側面にウレタンを吹き付けた後に、その表面をこてやローラなどで平滑化させた被覆層である。具体的に、第１ウレタン層の厚みは、３０ｍｍである。
【００２４】
内側面防水構造体１１１は、遮水シート１１１Ｘおよび遮水シート１１１Ｘの表面を被って保護する保護マット１１１Ｙを複数積層させた構造となっている。具体的に、遮水シート１１１Ｘの厚みは、例えば、１５ｍｍであり、保護マット１１１Ｙの厚みは、例えば、２０ｍｍである。
【００２５】
第２ウレタン層１１２は、内側面防水構造体１１１の表面に露呈した遮水シート１１１Ｘを被覆するウレタン１１２Ｘと、その表面に吹付けた不燃性の吹付材１１２Ｙとで構成される。具体的に、第２ウレタン層１１２の厚みは、ウレタン１１２Ｘの厚みが３０ｍｍであり、不燃性の吹付材１１２Ｙの厚みが４ｍｍである。
【００２６】
次に、垂直壁１０の外側について説明する。
【００２７】
垂直壁１０の外側には、これを支持するように全周に亘って不透水性の改良土を配置した垂直壁支持体１２０が設けられている。
【００２８】
かかる不透水性の改良土により、地上面からの垂直壁への雨水等の浸入および側方からの雨水等の浸入を簡易かつ効果的に防止することができる。加えて、不透水性の改良土である垂直壁支持体１２０により外側面全体が支持され、垂直壁１０の支持強度も高めることができる。
【００２９】
垂直壁支持体１２０は、その外周が地上面に向って拡大するように不透水性の改良土が配置される。より具体的に、垂直壁支持体１２０は、外周がテーパー面１２１と水平面１２２とにより階段状に拡大している。なお、外周の下部は垂直面１２３となっている。そして、水平面１２２の外周に有孔の雨水集水管１２５が配設されている。
【００３０】
かかる垂直壁支持体１２０の構造によれば、テーパー面１２１および垂直面１２３を伝って雨水が流れる。そのため、テーパー面１２１および垂直面１２３の下端位置、すなわち、水平面１２２の外周位置に、有孔の雨水集水管１２５を配設することで、垂直壁支持体１２０内への雨水等の浸入を簡易かつ確実に防止することができる。
【００３１】
また、垂直壁支持体１２０には、この中を水平方向に延びる支持部材１３０が設けられている。支持部材１３０は、垂直壁１０と同様にワイヤーを格子状にしたものであって、その一端縁が垂直壁１０に連結される。また、連結部分には、適当な間隔で連結補強材としての斜材１３１が設けられている。
【００３２】
これにより、垂直壁支持体１２０による垂直壁１０の支持強度を高めることができ、垂直壁１０をコンクリート以外の簡易的な構造物とした場合にもその立設強度を維持することできる。
【００３３】
次に、底版構造体２０について説明する。
【００３４】
底版構造体２０は、防水ユニット２１１と防水ユニット２１１上に敷設された砕石２１２とからなる防水構造体２１０が砂層２２０を介して複数積層した構造（実施例では２層積層）となっている。また、最下層の防水構造体２１０の砕石２１２には有孔の集水管２１３が配設されている。
【００３５】
防水ユニット２１１は、遮水シート２１１Ｘおよび遮水シート２１１Ｘの上下を被う保護マット２１１Ｙにより構成されている。かかる構成の防水ユニット２１１が防水構造体２１０の各層に配置されるため、漏水を確実に防止することができる。
【００３６】
さらに、処分場の底版に掛る荷重を防水ユニット２１１上の砕石２１２により分散させることができ、防水ユニット２１１の負荷を低減することができ、防水ユニット２１１が破損することもない。
【００３７】
また、砕石２１２よりも分散性の高い砂層２２０を防水構造体２１０の間に配置することで、底版に掛る荷重の分散効果を高めることができ、底版構造体２０をコンクリート以外の簡易的な構造物とすることが可能となる。
【００３８】
なお、防水構造体２１０の間に砂層２２０を配置する際には、防水性を高めるため砕石２１２との隣接面に防水ユニット２２１（防水ユニット２１１と同じ。）を配置することが好ましい。
【００３９】
最下層の防水構造体２１０の砕石２１２に配設された集水管２１３は、処分場の埋め立て空間の底部に網目状に配置されると共に、これらの集水管２１３は、図示しない集水桝に向かって下り傾斜で網目状に配置されている。
【００４０】
次に、底版構造体２０の下には、当該底版構造体２０の下面および垂直壁支持体１２０全体を覆うように不透水性の改良土を配置した底版支持体２３０が設けられている。すなわち、底版支持体２３０により底版構造体２０が支持される。
【００４１】
このとき、処分場全体の荷重が砂層２２０により荷重分散され、その一部が垂直壁１０から垂直壁支持体１２０を経て底版支持体２３０に掛かると共に、底版構造体２０から底版支持体２３０に掛かる。これらの分散荷重を底版支持体２３０全体で支持することができ、底版構造体２０をコンクリート以外の簡易的な構造物とした場合にもこれを支持することが可能となる。
【００４２】
また、底版構造体２０の下面および垂直壁支持体１２０全体を覆うように不透水性の改良土を配置した底版支持体２３０が設けられているため、地下水などが底版構造体２０に下側から浸入することを簡易に防止することができる。
【００４３】
さらに、底版構造体２０および底版支持体２３０により、最下層の防水構造体２１０には、地下水などの浸入が通常はないことから、最下層の防水構造体２１０の砕石２１２の集水管２１３を監視することで漏水の有無を確実に判定することができる。集水管２１３の監視は、各集水管２１３が合流する集水桝により監視してもよく、各集水管２１３に垂直方向に延びる検査井戸を設けて個別に監視してもよい。
【００４４】
次に、屋根部３０は、垂直壁支持体１２０に設けられた逆Ｔ字形状の基礎擁壁３１と、基礎擁壁３１に立設された複数の支持柱３２とにより最終処分場の直上全体を覆う屋根が支持される。
【００４５】
このように、最終処分場を、いわゆるクローズ型最終処分場とすることで、最終処分場の直上からの雨水の浸入がなくなり、最終処分場内の保有水の処理が不要となると共に、集水管２１３を最終処分場外からの雨水等の浸入監視として用いることができる。
【００４６】
なお、基礎擁壁３１の外周側にはコンクリートの打ち込み部３３が設けられている。これにより、垂直壁支持体１２０の表面を覆うことができ、雨水等の垂直壁支持体１２０内への浸入を防止することができる。さらに、打ち込み部３３の外周には、Ｕ字溝からなる集水溝３４が設けられており、打ち込み部３３の表面を流れた雨水等が集水溝３４を介して排水可能となっている。
【００４７】
次に、進入路４０は、最終処分場外から無機廃棄物をトレーラやダンプトラック等で場内に搬入するための進入路であって、所定の傾斜角（例えば１０％）で垂直壁１０に沿って設けられている（場外の搬入路については図示省略）。
【００４８】
進入路４０は、垂直壁支持体１２０と一体に同質の改良土により形成され、その路面は、防水ユニット２１１を複数積層した構造となっており（実施例では２層）、その上に必要に応じて路盤工を挟んでコンクリート舗装がされている。また路面の端縁には、柵４１が設けられている。
【００４９】
以上が本実施形態の最終処分場における簡易底版構造および簡易垂直壁構造の詳細である。かかる最終処分場の簡易底版構造および簡易垂直壁構造によれば、雨水等の浸入および最終処分場内からの漏水を簡易かつ確実に防止することができる。
【００５０】
本実施形態では、特に、屋根部３０を備えるため、最終処分場の直上からの雨水の浸入がなく、最終処分場内の保有水の処理が不要となると共に、集水管２１３を最終処分場外からの雨水等の浸入監視として用いることができ、より高いレベルでの安全性能を実現することができる。
【００５１】
ここで、屋根部３０を設けない場合、すなわち、いわゆるオープン型最終処分場とした場合には、底版構造体２０の最上層の砕石２１２に雨水集水管（図示省略）を設けることで、最終処分場内の保有水の処理を雨水集水管を介して行うことができる。
【００５２】
この場合、最終処分場内の保有水は、垂直壁１０の内側面防水構造体１１１および底版構造体２０の防水構造体２１０により漏水することがないため、集水管２１３を主として最終処分場外からの雨水等の浸入監視として用いることができ、副次的に漏水の検知として用いることができる。
【符号の説明】
【００５３】
１０…垂直壁、２０…底版構造体、３０…屋根部、４０…進入路、１１０…第１ウレタン層、１１１…内側面防水構造体、１１１Ｘ…遮水シート、１１１Ｙ…保護マット、１１２…第２ウレタン層、１１２Ｘ…ウレタン、１１２Ｙ…吹付け材、１２０…垂直壁支持体、１２１…テーパー面、１２２…水平面、１２３…垂直面、１２５…雨水集水管、１３０…支持部材、１３１…斜材、２１０…防水構造体、２１１…防水ユニット、２１１Ｘ…遮水シート、２１１Ｙ…保護マット、２１３…集水管、２２０…砂層、２２１…防水ユニット。
【図１】
2014223560.tif 000003
【図２】
2014223560.tif 000004